(57)【要約】      （修正有）【課題】デザイン性を高め、かつ軽量化を図ることができる指針装置およびそれを備えた時計を提供する。【解決手段】針本体１１と、指針軸１０と、この指針軸１０に固定される固定部１２と、を備え、固定部１２は、指針軸１０に対して非回転状態で取り付けられる回転止め部１４を備え、針本体１１と固定部１２とを合成樹脂で一体に形成した。従って、固定部１２によって針本体１１が形状の制約を受けることがないので、針本体１１と固定部１２とを自由な形状に形成することができる。このため、指針のデザイン性を高めることができると共に、指針の軽量化を図ることができる。【選択図】図３
2018091648.tif 000002
【特許請求の範囲】
【請求項１】
針本体と、指針軸と、前記指針軸に固定される固定部と、を備え、
前記固定部は、前記指針軸に対して非回転状態で取り付けられる回転止め部を備え、
前記針本体と前記固定部とを合成樹脂で一体に形成したことを特徴とする指針装置。
【請求項２】
請求項１に記載の指針装置において、前記固定部は、前記指針軸に対する軸方向への抜け出しを阻止する抜止め部を備えていることを特徴とする指針装置。
【請求項３】
請求項１または請求項２に記載の指針装置において、前記回転止め部は、前記固定部の中心部に設けられて内周面が非円形状に形成された嵌合孔と、前記指針軸に設けられ、外周面が前記嵌合孔と同じ非円形状に形成されて前記嵌合孔に嵌入する嵌入部と、を備えていることを特徴とする指針装置。
【請求項４】
請求項２に記載の指針装置において、前記抜止め部は、前記固定部の嵌合孔の内周面に設けられた規制部と、前記指針軸の嵌入部の外周面に設けられて前記規制部が係合することにより、前記指針軸に対する前記固定部の軸方向の位置を規制する係止部と、を備えていることを特徴とする指針装置。
【請求項５】
請求項４に記載の指針装置において、前記固定部は、前記嵌合孔に前記指針軸の前記嵌入部が嵌入して前記規制部が前記係止部に係合する際に、前記嵌合孔を弾力的に押し広げるように変形させるための逃し部を備えていることを特徴とする指針装置。
【請求項６】
請求項１〜請求項５のいずれかに記載の指針装置において、前記固定部には、前記針本体と反対側に突出する装飾部が一体に形成されていることを特徴とする指針装置。
【請求項７】
請求項６に記載の指針装置において、前記針本体と前記固定部と前記装飾部とのうち、少なくとも前記針本体の外周縁には補強壁がほぼ全周に亘って枠状に設けられていることを特徴とする指針装置。
【請求項８】
請求項１〜請求項７のいずれかに記載された指針装置を備えていることを特徴とする時計。
【発明の詳細な説明】
【技術分野】
【０００１】
この発明は、時計や計器などに用いられる指針装置およびそれを備えた時計に関する。
【背景技術】
【０００２】
例えば、時計においては、特許文献１に記載されているように、指針軸に指針を取り付け、この指針を指針軸の回転に応じて運針させることにより、指針が時刻を指示するように構成されたものが知られている。
【先行技術文献】
【特許文献】
【０００３】
【特許文献１】実開昭６４−１５９８９号公報  このような時計の指針は、針本体を金属で形成し、この針本体にハカマと称する合成樹脂製の固定部をカシメ加工によって一体的に取り付け、この固定部に設けられた取付孔に指針軸を嵌着させることにより、固定部が指針軸と共に回転して針本体が運針するように構成されている。
【発明の概要】
【発明が解決しようとする課題】
【０００４】
しかしながら、このような時計の指針では、針本体を金属で形成し、ハカマと称する固定部を針本体の材料と異なる合成樹脂で形成した構成であるから、固定部によって針本体が形状の制約を受けることになり、このため針本体を自由な形状に形成することができず、デザイン性に乏しいばかりか、金属製の針本体によって重量が重くなるという問題がある。
【０００５】
また、このような時計の指針では、針本体を合成樹脂で形成し、ハカマと称する固定部を金属で形成した構成のものも知られているが、このような構成のものでも、上述した構成のものと同様、固定部によって針本体が形状の制約を受けるため、針本体を自由な形状に形成することができず、デザイン性に乏しいばかりか、金属製の固定部によって重量が重くなるという問題が生じる。
【０００６】
この発明が解決しようとする課題は、デザイン性を高め、かつ軽量化を図ることができる指針装置およびそれを備えた時計を提供することである。
【課題を解決するための手段】
【０００７】
この発明は、針本体と、指針軸と、前記指針軸に固定される固定部と、を備え、前記固定部は、前記指針軸に対して非回転状態で取り付けられる回転止め部を備え、前記針本体と前記固定部とを合成樹脂で一体に形成したことを特徴とする指針装置である。
【発明の効果】
【０００８】
この発明によれば、固定部によって針本体が形状の制約を受けることがなく、針本体と固定部とを自由な形状に形成することができるので、デザイン性を高めることができると共に、軽量化を図ることができる。
【図面の簡単な説明】
【０００９】
【図１】この発明を腕時計に適用した一実施形態を示した拡大正面図である。
【図２】図１に示された腕時計における指針および指針軸を示した要部の拡大正面図である。
【図３】図２に示された指針および指針軸のＡ−Ａ矢視における要部を示した拡大断面図である。
【図４】図３に示された指針と指針軸とを分解して示した要部の拡大断面図である。
【図５】図２に示された指針を示し、（ａ）はその拡大正面図、（ｂ）はその指針のＢ−Ｂ矢視における拡大断面図である。
【図６】図５に示された指針の各断面を示し、（ａ）は図５（ａ）に示された指針のＣ−Ｃ矢視における要部の拡大断面図、（ｂ）は図５（ａ）に示された指針のＤ−Ｄ矢視における要部の拡大断面図である。
【発明を実施するための形態】
【００１０】
以下、図１〜図６を参照して、この発明を腕時計に適用した一実施形態について説明する。
この腕時計は、図１に示すように、腕時計ケース１を備えている。この腕時計ケース１は、その３時側に竜頭などのスイッチ部２が設けられ、１２時側と６時側とに時計バンド３が取り付けられた構成になっている。
【００１１】
また、この腕時計ケース１は、図１に示すように、その上部開口部に時計ガラス４が取り付けられ、下部に裏蓋（図示せず）が取り付けられた構成になっている。この腕時計ケース１の内部には、時計モジュール５が収納されている。この時計モジュール５は、指針６を運針させて時刻を指示する時計ムーブメント（図示せず）、時刻などの情報を電気光学的に表示する表示部７、およびこれらを駆動する回路部などの時計機能に必要な各種の電子部品（いずれも図示せず）を備えている。
【００１２】
ところで、この腕時計の指針６は、図１に示すように、時針８と分針９とを備えている。この指針６は、図２〜図４に示すように、指針軸１０にそれぞれ取り付けられ、これらの指針軸１０の回転に応じてそれぞれ運針するように構成されている。この場合、指針６が指針軸１０に取り付けられることにより、指針装置が構成されている。
【００１３】
また、指針軸１０は、図１に示すように、時針８が取り付けられる筒車である時針車の時針軸と、この時針軸に挿入されて分針９が取り付けられる二番車である分針車の分針軸と、を備えている。これら指針軸１０は、金属または硬質の合成樹脂によって形成されている。
【００１４】
指針６である時針８と分針９とのうち、例えば、分針９は、図２〜図５に示すように、針本体１１と、指針軸１０に固定される固定部１２と、を備え、これらがＡＢＳ樹脂、ポリカーボネート樹脂（ＰＣ）などの硬質の合成樹脂によって一体に成型された構成になっている。
【００１５】
この場合、針本体１１は、図５（ａ）および図５（ｂ）に示すように、固定部１２の外周端部から側方に延出されたほぼ帯板状に形成されている。すなわち、この針本体１１は、固定部１２から延出された先端側（図５（ａ）では右側）に向けて次第に細くなるように長く形成されている。
【００１６】
また、この針本体１１は、図５（ｂ）および図６（ｂ）に示すように、その外周縁に補強壁１１ａが、固定部１２に対応する箇所を除いて、そのほぼ全周に亘って枠状に一体に形成された構成になっている。この補強壁１１ａは、針本体１１の肉厚を薄く形成しても、針本体１１の剛性を確保するように構成されている。
【００１７】
このため、この補強壁１１ａは、図５（ｂ）および図６（ｂ）に示すように、針本体１１が先細のほぼ帯板状に形成されていても、針本体１１の撓みや捩れを防ぐように構成されている。これにより、針本体１１は、その肉厚が薄く形成されて針本体１１の重量が軽くなるように構成されている。
【００１８】
固定部１２は、図２〜図５に示すように、ほぼ円板状に形成され、針本体１１の端部１１ｂ（図５（ａ）では左端部）に連結された状態で一体に形成されている。また、この固定部１２は、その外周端部に装飾部１３が針本体１１と反対側に突出した状態で一体に形成されている。
【００１９】
一方、この固定部１２は、図２〜図４に示すように、指針軸１０に対して非回転状態で取り付けられる回転止め部１４と、指針軸１０に対する軸方向への抜け出しを阻止する抜止め部１５と、を備えている。回転止め部１４は、固定部１２の中心部に設けられて、指針軸１０の嵌入部１０ａが嵌合する嵌合孔１４ａを備えている。
【００２０】
すなわち、嵌合孔１４ａは、図２および図５（ａ）に示すように、その内周面が八角形に形成されているが、八角形以上の多角形に形成されていることが望ましい。また、指針軸１０の嵌入部１０ａは、その外周面が嵌合孔１４ａと同じ大きさの八角形に形成されているが、嵌合孔１４ａと同様、八角形以上の多角形に形成されていることが望ましい。
【００２１】
これにより、回転止め部１４は、図２および図３に示すように、指針軸１０の嵌入部１０ａが固定部１２の嵌合孔１４ａに嵌入すると、嵌合孔１４ａの八角形以上の多角形と嵌入部１０ａの八角形以上の多角形とが噛み合うことにより、固定部１２が指針軸１０に対して非回転状態で取り付けられるように構成されている。
【００２２】
この場合、固定部１２の中心部の下面には、図３、図４、図５（ｂ）および図６（ａ）に示すように、円筒形状のガイド筒部１６が嵌合孔１４ａと同一軸上に対応した状態で固定部１２と一体に形成されている。このガイド筒部１６は、固定部１２の下面側に位置する内径が嵌合孔１４ａの内径とほぼ同じ大きさで、固定部１２の下面から下側に向かうに従って次第にガイド筒部１６の内径が大きくなるように形成されている。
【００２３】
また、このガイド筒部１６は、図３および図４に示すように、その軸方向つまり上下方向の長さが、針本体１１の補強壁１１ａの上下方向の長さよりも長く形成されている。これにより、ガイド筒部１６は、その下側から指針軸１０の嵌入部１０ａが固定部１２の嵌合孔１４ａに嵌入する際に、指針軸１０の嵌入部１０ａをガイド筒部１６の内周面でガイドしながら、指針軸１０の嵌入部１０ａを固定部１２の嵌合孔１４ａに導いて確実にかつ容易に嵌合させるように構成されている。
【００２４】
一方、抜止め部１５は、図３、図４および図６（ａ）に示すように、固定部１２の嵌合孔１４ａの内周面に設けられて、指針軸１０の嵌入部１０ａの外周面に設けられた係止部１５ｂに係合する規制部１５ａを備えている。この規制部１５ａは、固定部１２の嵌合孔１４ａの内面に突出して設けられた断面三角形状の突起部である。係止部１５ｂは、指針軸１０の外周に環状に設けられたＶ字形状の溝部である。
【００２５】
これにより、抜止め部１５は、図３および図４に示すように、固定部１２の嵌合孔１４ａに指針軸１０の嵌入部１０ａが嵌合した際に、嵌合孔１４ａの内周面に設けられた規制部１５ａが指針軸１０の嵌入部１０ａの外周面に設けられた係止部１５ｂに係合することにより、指針軸１０に対する固定部１２の軸方向の位置を規制して、固定部１２が指針軸１０から抜け出さないように構成されている。
【００２６】
また、固定部１２には、図２、図５（ａ）および図６（ａ）に示すように、嵌合孔１４ａに指針軸１０の嵌入部１０ａを嵌入させる際に、嵌合孔１４ａが弾力的に押し広げられるように、嵌合孔１４ａを変形させるための逃し部１７が設けられている。この逃し部１７は、嵌合孔１４ａの外周から針本体１１の長手方向に対して直交する方向に離れた位置に設けた複数のスリット孔であり、嵌合孔１４ａを中心として嵌合孔１４ａの外周に沿う円弧状に形成されている。
【００２７】
これにより、固定部１２の嵌合孔１４ａは、図２、図５（ａ）および図６（ａ）に示すように、その嵌合孔１４ａに指針軸１０の嵌入部１０ａが嵌入して、嵌合孔１４ａの規制部１５ａが嵌入部１０ａの係止部１５ｂに係合する際に、逃し部１７である複数のスリット孔が固定部１２の径方向に収縮変形することにより、嵌合孔１４ａを弾力的に押し広げるように変形させて、指針軸１０の嵌入部１０ａの係合部１５ｂに嵌合孔１４ａの規制部１５ａを係合させ易くするように構成されている。
【００２８】
一方、固定部１２の装飾部１３は、図２および図５に示すように、固定部１２にその外周端部から針本体１１と反対側に向けて突出した状態で一体に形成されている。すなわち、この装飾部１３は、固定部１２の外周にほぼ扇形状に形成されている。この装飾部１３には、円形状およびほぼ四角形状の複数の装飾凹部１８が固定部１２の外周に沿って形成されている。また、この装飾部１３は、固定部１２を中心とする針本体１１の重量バランスをとるように形成されている。
【００２９】
この場合、固定部１２と装飾部１３との各外周縁には、図３、図４、図５（ｂ）、および図６（ａ）に示すように、補強壁１２ａ、１３ａがこれらのほぼ全周に亘って枠状に一体に形成されている。すなわち、これら補強壁１２ａ、１３ａは、針本体１１の補強部１１ａに連続した状態で全周に亘って一体に形成されている。
【００３０】
また、これら補強壁１２ａ、１３ａは、図３、図４、図５（ｂ）および図６（ａ）に示すように、その上下方向（厚み方向）の長さが、針本体１１の補強壁１１ａの上下方向の長さよりも長く、かつ固定部１２の下面に設けられたガイド筒部１６の上下方向の長さよりも短い長さで形成されている。
【００３１】
これにより、これら補強壁１２ａ、１３ａは、針本体１１の補強壁１１ａと同様、固定部１２と装飾部１３との各肉厚を薄く形成しても、固定部１２と装飾部１３との剛性を確保して、固定部１２と装飾部１３との撓みや捩れを防ぐように構成されている。このため、固定部１２と装飾部１３とは、その各肉厚が薄く形成されて固定部１２と装飾部１３との重量が軽くなるように構成されている。
【００３２】
ところで、指針６である時針８は、図１に示すように、その針本体の長さが分針９の針本体１１の長さよりも短い長さに形成されており、これ以外は分針９と同様に形成されている。この場合、時針８が取り付けられる筒車である時針車の時針軸は、図示しないが、分針軸が回転可能に挿入する筒状に形成されている。また、この時針軸は、分針軸と同様、嵌入部の外周面が八角形以上の多角形に形成され、その外周面に抜止め部の係止部が形成された構成になっている。
【００３３】
次に、このような腕時計における指針６の作用について説明する。
まず、指針６である分針９を製作する場合には、上金型と下金型とで構成される成型用の金型内にＡＢＳ樹脂、ポリカーボネート樹脂（ＰＣ）などの硬質の合成樹脂を射出して固化させた上、金型を上金型と下金型とに離型させて、固化した合成樹脂を取り出すだけで、先細のほぼ帯板状の針本体１１とほぼ円板状の固定部１２とほぼ扇形状の装飾部１３とが一体に形成された分針９が得られる。
【００３４】
すなわち、針本体１１は固定部１２の外周の端部に一体に形成される。固定部１２は、その中心部に嵌合孔１４ａが八角形以上の多角形状に形成され、この嵌合孔１４ａの内周面に規制部１５ａが断面三角状に突出して形成され、かつこの嵌合孔１４ａの下側にガイド筒部１６が形成されると共に、嵌合孔１４ａから外周側に離れた箇所に逃し部１７が形成される。
【００３５】
装飾部１３は固定部１２の外周の端部に針本体１１と反対側に突出して形成される。この装飾部１３には複数の装飾凹部１８が形成される。また、針本体１１の外周縁には補強壁１１ａが固定部１２に対応する箇所を除いてそのほぼ全周に亘って枠状に形成され、固定部１２の外周縁と装飾部１３の外周縁とには、それぞれ補強壁１２ａ、１３ａが針本体１１の補強壁１１ａに連続した状態で、これらの全周に沿って枠状に形成される。
【００３６】
このときには、針本体１１、固定部１２、および装飾部１３は、これら補強壁１１ａ、１２ａ、１３ａによって針本体１１、固定部１２、および装飾部１３の剛性が確保されて、針本体１１、固定部１２、および装飾部１３の撓みや捩れが阻止されることにより、針本体１１、固定部１２、および装飾部１３の各肉厚が薄く形成されている。
【００３７】
この場合、ガイド筒部１６は、その内径が固定部１２の下面から下側に向かうに従って次第に大きくなるように形成されていることにより、金型を上金型と下金型とに離型させて金型内から取り出す際に、下金型内からその下部側から上部側に向けて容易にかつ良好に取り出することができる。
【００３８】
また、嵌合孔１４ａ内に設けられた抜止め部１５の規制部１５ａは、上金型と下金型との離型ラインであるパーテングライン上に位置させることにより、金型を上金型と下金型とに離型させて金型内から取り出す際に、上金型と下金型とが上下に離れることにより、規制部１５ａが嵌合孔１４ａの内周面に断面三角状に突出していても、金型内から容易にかつ良好に取り出すことができる。
【００３９】
このような指針６である分針９を指針軸１０に取り付ける際には、指針軸１０の先端部（図３では上端部）に設けられた嵌入部１０ａを分針９の下側から固定部１２のガイド筒部１６内に挿入させて固定部１２の嵌合孔１４ａに嵌入させる。
【００４０】
このときには、ガイド筒部１６における固定部１２の下面側の内径が嵌合孔１４ａの内径と同じ大きさで、固定部１２の下面から下側に向かうに従って次第にガイド筒部１６の内径が大きくなるように形成されていることにより、指針軸１０の嵌入部１０ａを固定部１２の嵌合孔１４ａに良好に嵌入させることができる。
【００４１】
すなわち、指針軸１０の嵌入部１０ａを固定部１２の嵌合孔１４ａに挿入する際には、指針軸１０の嵌入部１０ａをガイド筒部１６の内周面でガイドしながら、指針軸１０の嵌入部１０ａを固定部１２の嵌合孔１４ａに導くことにより、指針軸１０の嵌入部１０ａをガイド筒部１６によって固定部１２の嵌合孔１４ａに確実にかつ良好に嵌入させること
ができる。
【００４２】
この場合には、嵌合孔１４ａの内周面が八角形以上の多角形に形成され、指針軸１０の嵌入部１０ａの外周面が嵌合孔１４ａと同じ大きさの八角形以上の多角形に形成されていることにより、指針軸１０に対する分針９の回転を阻止するための回転止め部１４が構成されている。
【００４３】
このため、指針軸１０の嵌入部１０ａが固定部１２の嵌合孔１４ａに嵌合した際には、嵌入部１０ａの八角形以上の多角形と嵌合孔１４ａの八角形以上の多角形とが噛み合うことにより、固定部１２が指針軸１０に対して非回転状態で取り付けられる。これにより、指針軸１０に対して分針９が回転することがなく、分針９が指針軸１０と共に回転して運針する。
【００４４】
この場合、回転止め部１４は、指針軸１０の嵌入部１０ａの外周面が八角形以上の多角形で、固定部１２の嵌合孔１４ａの内周面が八角形以上の多角形であることにより、指針軸１０に対する指針６の回転方向における取付位置を調整する際に、４５度以下の角度で指針軸１０に対する指針６の取付角度を調整することができる。
【００４５】
また、このときには、抜止め部１５が、固定部１２の嵌合孔１４ａの内周面に突出して設けられた規制部１５ａと、固定部１２の嵌合孔１４ａに嵌合する指針軸１０の嵌入部１０ａの外周面に窪んで設けられた係止部１５ｂと、を備えているので、固定部１２の嵌合孔１４ａに指針軸１０の嵌入部１０ａが嵌合した際に、嵌合孔１４ａの内周面の規制部１５ａが指針軸１０の嵌入部１０ａの外周面の係止部１５ｂに係合する。
【００４６】
すなわち、規制部１５ａは、固定部１２の嵌合孔１４ａの内周面に設けられた断面三角形状の突起部であり、係止部１５ｂは、指針軸１０の嵌入部１０ａの外周面に環状に設けられた断面Ｖ字形状の溝部である。このため、固定部１２の嵌合孔１４ａに指針軸１０の嵌入部１０ａが嵌合すると、嵌合孔１４ａの規制部１５ａが指針軸１０の嵌入部１０ａの係止部１５ｂに係合する。これにより、指針軸１０に対する固定部１２の軸方向の位置が規制されて、固定部１２が指針軸１０から抜け出すことなく固定される。
【００４７】
このように嵌合孔１４ａの規制部１５ａが指針軸１０の嵌入部１０ａの係止部１５ｂに係合する際には、固定部１２に設けられた逃し部１７である複数のスリット孔が固定部１２の径方向に収縮変形することにより、嵌合孔１４ａが弾力的に押し広げられるように変形する。このため、指針軸１０の嵌入部１０ａが嵌合孔１４ａに嵌合する際に、嵌合孔１４ａの規制部１５ａを指針軸１０の嵌入部１０ａの係止部１５ｂに係合させ易くして確実にかつ良好に係合させることができる。
【００４８】
ところで、指針６である時針８は、その針本体の長さが分針９よりも短いだけで、分針９と同じ構成であるから、分針９と同様に製作することができ、かつ分針９と同様に指針軸１０に取り付けることができる。
【００４９】
このように、この腕時計の指針６によれば、針本体１１と、指針軸１０に固定される固定部１２と、を合成樹脂で一体に形成したことにより、固定部１２によって針本体１１が形状の制約を受けることがないため、針本体１１と固定部１２とを自由な形状に形成することができ、これにより指針６のデザイン性を高めることができると共に、指針６の軽量化を図ることができる。
【００５０】
この場合、固定部１２は、指針軸１０に対して非回転状態で取り付けられる回転止め部１４と、指針軸１０に対する軸方向への抜け出しを阻止する抜止め部１５と、を備えているので、固定部１２を指針軸１０に取り付けた際に、回転止め部１４によって固定部１２を指針軸１０に対して回転することなく取り付けることができ、これにより指針軸１０の回転と共に固定部１２を確実に回転させることができると共に、抜止め部１５によって固定部１２が指針軸１０から抜け出すことがなく、固定部１２を指針軸１０に確実にかつ良好に取り付けることができる。
【００５１】
すなわち、回転止め部１４は、固定部１２の中心部に設けられて内周面が非円形状である八角形以上の多角形に形成された嵌合孔１４ａと、指針軸１０に設けられ、外周面が嵌合孔１４ａと同じ非円形状である八角形以上の多角形に形成されて嵌合孔１４ａに嵌入する嵌入部１０ａと、を備えていることにより、固定部１２の嵌合孔１４ａに指針軸１０の嵌入部１０ａを嵌合させると、嵌合孔１４ａの多角形と嵌入部１０ａの多角形とを噛み合せることができる。
【００５２】
このため、この回転止め部１４は、嵌合孔１４ａの多角形と嵌入部１０ａの多角形との噛み合いによって、固定部１２を指針軸１０に対して非回転状態で取り付けることができ、これにより固定部１２が指針軸１０に対して回転することがなく、指針軸１０の回転と共に固定部１２を確実に回転させることができるので、指針軸１０を中心に針本体１１を良好に運針させることができる。
【００５３】
この場合、回転止め部１４は、固定部１２の嵌合孔１４ａの内周面が八角形以上の多角形で、指針軸１０の嵌入部１０ａの外周面が固定部１２の嵌合孔１４ａと同じ八角形以上の多角形であることにより、指針軸１０に対する指針６の回転方向における取付位置を調整する際に、４５度以下の角度で指針軸１０に対する指針６の取付角度を調整することができる。
【００５４】
また、抜止め部１５は、固定部１２の嵌合孔１４ａの内周面に設けられた規制部１５ａと、指針軸１０の嵌入部１０ａの外周面に設けられて規制部１５ａが係合して、指針軸１０に対する固定部１２の軸方向の位置を規制する係止部１５ｂと、を備えていることにより、指針軸１０に対する固定部１２の軸方向の位置を規制して、固定部１２が指針軸１０から抜け出さないように、固定部１２を指針軸１０に確実に固定することができる。
【００５５】
すなわち、規制部１５ａは、固定部１２の嵌合孔１４ａの内周面に設けられた断面三角形状の突起部であり、係止部１５ｂは、指針軸１０の嵌入部１０ａの外周面に環状に設けられた断面Ｖ字形状の溝部であるため、固定部１２の嵌合孔１４ａに指針軸１０の嵌入部１０ａを嵌合させた際に、嵌合孔１４ａの規制部１５ａを指針軸１０の嵌入部１０ａの係止部１５ｂに確実にかつ良好に係合させることができる。
【００５６】
このため、この抜止め部１５は、嵌合孔１４ａの規制部１５ａが指針軸１０の嵌入部１０ａの係止部１５ｂに係合することにより、指針軸１０に対する固定部１２の軸方向の位置を簡単にかつ確実に規制することができるので、固定部１２が指針軸１０から抜け出さないように、固定部１２を指針軸１０に確実に固定させることができる。
【００５７】
この場合、固定部１２は、その中心部の嵌合孔１４ａに指針軸１０の嵌入部１０ａが嵌入して規制部１５ａが係止部１５ｂに係合する際に、嵌合孔１４ａを弾力的に押し広げるように変形させるための逃し部１７を備えていることにより、嵌合孔１４ａの規制部１５ａを指針軸１０の嵌入部１０ａの係止部１５ｂに係合させ易くして確実にかつ良好に係合させることができる。
【００５８】
すなわち、逃し部１７は、固定部１２に設けられた複数のスリット孔であり、固定部１２の嵌合孔１４ａに指針軸１０の嵌入部１０ａが嵌入して規制部１５ａが係止部１５ｂに係合する際に、逃し部１７である複数のスリット孔を固定部１２の径方向に収縮変形させることができるので、嵌合孔１４ａを弾力的に押し広げるように変形させることができ、これにより嵌合孔１４ａの規制部１５ａを指針軸１０の嵌入部１０ａの係止部１５ｂに係合させ易くすることができる。
【００５９】
また、この腕時計の指針６では、固定部１２に針本体１１と反対側に突出する装飾部１３が一体に形成されていることにより、この装飾部１３によって装飾性を高めることができ、これによっても指針６のデザイン性を高めることができると共に、この装飾部１３によって固定部１２を中心とする針本体１１の重量バランスをとることができ、これにより指針軸１０を中心に指針６をバランス良く良好に運針させることができる。
【００６０】
すなわち、この装飾部１３は、固定部１２の外周端にほぼ扇形状に形成され、この装飾部１３に円形状および矩形状の複数の装飾凹部１８が固定部１２の外周に沿って形成されていることにより、装飾部１３の形状および複数の装飾凹部１８によって、指針６の装飾性を、より一層、高めることができ、これにより指針６のデザイン性を更に向上させることができる。
【００６１】
さらに、この腕時計の指針６では、針本体１１と固定部１２と装飾部１３との各外周縁に補強壁１１ａ、１２ａ、１３ａがこれらの全周に亘って連続した状態で枠状に設けられていることにより、これら補強壁１１ａ、１２ａ、１３ａによって針本体１１と固定部１２と装飾部１３との各剛性を確保して、指針６の強度を高めることができる。
【００６２】
このため、この腕時計の指針６では、補強壁１１ａ、１２ａ、１３ａによって針本体１１と固定部１２と装飾部１３との撓みや捩れを確実にかつ良好に防ぐことができると共に、針本体１１と固定部１２と装飾部１３との各肉厚を薄く形成することができ、これにより指針６の更なる軽量化を図ることができる。これにより、針本体１１と固定部１２と装飾部１３との各肉厚を薄く形成しても、指針６を安定した状態で良好に運針させることができる。
【００６３】
なお、上述した実施形態では、指針６として、時針８と分針９とに適用した場合について述べたが、この発明はこれに限らず、秒針にも適用することができるほか、副表示の副針などの機能針にも適用することができる。
【００６４】
また、上述した実施形態では、回転止め部１４が、指針６の固定部１２に設けられた嵌合孔１４ａと、指針軸１０に設けられた嵌入部１０ａと、を備え、嵌合孔１４ａの内周面を八角形以上の多角形に形成し、嵌入部１０ａの外周面を嵌合孔１４ａの内周面と同じ八角形以上の多角形に形成した場合について述べたが、この発明はこれに限らず、例えば嵌合孔１４ａの内周面と嵌入部１０ａの外周面とを三角形、四角形、五角形、六角形などの多角形に形成しても良く、また楕円形状やスプライン形状などの円形以外の非円形状に形成しても良い。
【００６５】
また、上述した実施形態では、抜止め部１５が、固定部１２の嵌合孔１４ａの内周面に設けられた規制部１５ａと、指針軸１０の嵌入部１０ａの外周面に設けられた係合部１５ｂと、を備え、規制部１５ａが嵌合孔１４ａの内周面に設けられた突起部であり、係止部１５ｂが嵌入部１０ａの外周面に環状に設けられた溝部である場合について述べたが、この発明はこれに限らず、例えば規制部１５ａが嵌合孔１４ａの内周面に環状に設けられた溝部で、係止部１５ｂが嵌入部１０ａの外周面に設けられた突起部であっても良い。
【００６６】
さらに、上述した実施形態およびその各変形例では、指針式の腕時計に適用した場合について述べたが、この発明は必ずしも腕時計である必要はなく、例えばトラベルウオッチ、目覚まし時計、置き時計、掛け時計などの各種の指針式の時計に適用することができる。また、この発明は、必ずしも時計である必要はなく、測定器やメータなどの計器にも適用することができる。
【００６７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６８】
（付記）
請求項１に記載の発明は、針本体と、指針軸と、前記指針軸に固定される固定部と、を備え、前記固定部は、前記指針軸に対して非回転状態で取り付けられる回転止め部を備え、前記針本体と前記固定部とを合成樹脂で一体に形成したことを特徴とする指針装置である。
【００６９】
請求項２に記載の発明は、請求項１に記載の指針装置において、前記固定部は、前記指針軸に対する軸方向への抜け出しを阻止する抜止め部を備えていることを特徴とする指針装置である。
【００７０】
請求項３に記載の発明は、請求項１または請求項２に記載の指針装置において、前記回転止め部は、前記固定部の中心部に設けられて内周面が非円形状に形成された嵌合孔と、前記指針軸に設けられ、外周面が前記嵌合孔と同じ非円形状に形成されて前記嵌合孔に嵌入する嵌入部と、を備えていることを特徴とする指針装置である。
【００７１】
請求項４に記載の発明は、請求項２に記載の指針装置において、前記抜止め部は、前記固定部の嵌合孔の内周面に設けられた規制部と、前記指針軸の嵌入部の外周面に設けられて前記規制部が係合することにより、前記指針軸に対する前記固定部の軸方向の位置を規制する係止部と、を備えていることを特徴とする指針装置である。
【００７２】
請求項５に記載の発明は、請求項４に記載の指針装置において、前記固定部は、前記嵌合孔に前記指針軸の前記嵌入部が嵌入して前記規制部が前記係止部に係合する際に、前記嵌合孔を弾力的に押し広げるように変形させるための逃し部を備えていることを特徴とする指針装置である。
【００７３】
請求項６に記載の発明は、請求項１〜請求項５のいずれかに記載の指針装置において、前記固定部には、前記針本体と反対側に突出する装飾部が一体に形成されていることを特徴とする指針装置である。
【００７４】
請求項７に記載の発明は、請求項６に記載の指針装置において、前記針本体と前記固定部と前記装飾部とのうち、少なくとも前記針本体の外周縁には補強壁がほぼ全周に亘って枠状に設けられていることを特徴とする指針装置である。
【００７５】
請求項８に記載の発明は、請求項１〜請求項７のいずれかに記載された指針装置を備えていることを特徴とする時計である。
【符号の説明】
【００７６】
１  腕時計ケース
５  時計モジュール
６  指針
８  時針
９  分針
１０  指針軸
１０ａ  嵌入部
１１  針本体
１１ａ  補強壁
１２  固定部
１２ａ  補強壁
１３  装飾部
１３ａ  補強壁
１４  回転止め部
１４ａ  嵌合孔
１５  抜止め部
１５ａ  規制部
１５ｂ  係止部
１６  ガイド筒部
１７  逃し部
１８  装飾凹部
【図１】
2018091648.tif 000003
【図２】
2018091648.tif 000004
【図３】
2018091648.tif 000005
【図４】
2018091648.tif 000006
【図５】
2018091648.tif 000007
【図６】
2018091648.tif 000008